(57)【特許請求の範囲】
【請求項１】
印刷機において色調整を行う方法であって、
色調整を、調整装置（１２）によって行い、被印刷物（０９）に印刷機の印刷プロセス進行中に継続的に印刷を行い、インキ装置（０７）から供給される少なくとも１つの印刷インキを、複数のインキ帯域（２２；２２Ａ；２２Ｂ；２２Ｃ；２２Ｄ）で被印刷物（０９）に塗布し、被印刷物（０９）に塗布される少なくとも１つの印刷インキに関して、印刷機内で印刷プロセス中に、色濃度を表す測定値を求め、特定の印刷インキに関する選択されたインキ帯域（２２；２２Ｂ）で求められる色濃度の測定値と、同じ印刷インキの別の少なくとも１つのインキ帯域（２２；２２Ａ；２２Ｃ）で求められる色濃度の測定値との間の関係を形成するものにおいて、
印刷プロセス進行中に隣接するインキ帯域（２２；２２Ａ；２２Ｂ；２２Ｃ；２２Ｄ）で求められる色濃度の測定値の関係として、隣接するインキ帯域（２２；２２Ａ；２２Ｂ；２２Ｃ；２２Ｄ）の間の光学濃度の差を求めるか、または、選択されたインキ帯域（２２；２２Ｂ）に関して関係を形成するために、色濃度に関する測定値を、同じインキ装置（０７）に付属する別の少なくとも１つのインキ帯域（２２；２２Ａ；２２Ｃ；２２Ｄ）からの測定値と関係付けし、異なるインキ帯域（２２；２２Ａ；２２Ｂ；２２Ｃ；２２Ｄ）の間の色濃度に関する測定値の関係を形成し、それも、印刷機の特定のインキ装置（０７）に関して設けられるインキ帯域（２２；２２Ａ；２２Ｂ；２２Ｃ；２２Ｄ）の多数が、印刷機の本刷りまえの始動段階で、それぞれインキ装置（０７）から供給される印刷インキの色濃度に関する測定値を提供し、該測定値が、各インキ帯域（２２；２２Ａ；２２Ｂ；２２Ｃ；２２Ｄ）において前調節された目標値の少なくとも予め規定された割合に到達する場合にだけ、前記色濃度に関する測定値の関係を形成し、印刷機の始動段階の終了時点で前述の条件が満たされると、調整装置（１２）によって行われる色調整を行い、この場合に、前記色濃度に関する測定値の関係を形成する際に、測定値の妥当性を検査し、妥当であるとみなされた測定値だけが、調整装置（１２）によって行われる色調整に用いられることを特徴とする、印刷機において色調整を行う方法。
【請求項２】
印刷インキから色濃度に関連する測定値が相互に関係付けされる該印刷インキを、被印刷物（０９）の搬送方向（Ｔ）に対して横向きに相並んで配置された複数のインキ帯域（２２；２２Ａ；２２Ｂ；２２Ｃ；２２Ｄ）で被印刷物（０９）に塗布する、請求項１記載の方法。
【請求項３】
相応のインキ装置（０７）から供給される印刷インキの色濃度に関する測定値が、各インキ帯域（２２；２２Ａ；２２Ｂ；２２Ｃ；２２Ｄ）で前調節された測定値の少なくとも５０％に到達する、請求項１記載の方法。
【請求項４】
特定の印刷インキに関する選択されたインキ帯域（２２；２２Ｂ）で求められる色濃度の測定値を、調整装置（１２）によって、妥当でないとして拒否し、それも、前記測定値から形成される、同じ印刷インキの別の少なくとも１つの別のインキ帯域（２２）で求められる測定値に対する関係が、少なくとも１つの限度値を許容できない程度に上回るか、または下回ると、妥当でないとして拒否する、請求項１記載の方法。
【請求項５】
調整装置（１２）によって、特定の印刷インキに関する選択されたインキ帯域（２２；２２Ｂ）で求められる、調整装置（１２）によって妥当でないとして拒否される色濃度の測定値の代わりに、代替的に、別の少なくとも１つのインキ帯域（２２Ａ；２２Ｃ）から求められる測定値に基づいて、相応の印刷インキの色濃度に関する値を得る、請求項１記載の方法。
【請求項６】
相応の印刷インキの色濃度に関して代替的に用いられる値を、調整装置（１２）によって、計算により内挿法または外挿法によって得る、請求項５記載の方法。
【請求項７】
特定の印刷インキに関する選択されたインキ帯域（２２；２２Ｂ）で求められる色濃度の測定値を、調整装置（１２）によって、妥当でないとして拒否し、それも、該測定値が、同じ印刷インキに関する別の少なくとも１つのインキ帯域（２２）で求められる測定値から５０％異なる場合に、妥当でないとして拒否する、請求項１記載の方法。
【請求項８】
特定の印刷インキに関する選択されたインキ帯域（２２；２２Ｂ）で求められる色濃度の測定値と、同じ印刷インキに関する別の少なくとも１つのインキ帯域（２２；２２Ａ；２２Ｃ）で求められる色濃度の測定値との関係を、直に相並んで位置するインキ帯域（２２；２２Ａ；２２Ｂ；２２Ｃ）の間で、かつ／または直に相並んで位置するインキ帯域インキ帯域（２２；２２Ａ；２２Ｂ；２２Ｃ）よりも離れて位置する別のインキ帯域（２２；２２Ａ；２２ｂ；２２Ｃ；２２Ｄ）の間で形成する、請求項１記載の方法。
【請求項９】
調整装置（１２）によって、特定の印刷インキに関する選択されたインキ帯域（２２；２２Ｂ）で求められる色濃度の測定値と、同じ印刷インキに関する別の少なくとも１つのインキ帯域（２２；２２Ａ；２２Ｃ）で求められる色濃度の測定値との間の関係の変化を、印刷機の印刷プロセス進行中に検査する、請求項１記載の方法。
【請求項１０】
調整装置（１２）によって、印刷機の本刷りの間に、前記関係の変化を検査する、請求項１記載の方法。
【請求項１１】
異なるインキ帯域（２２；２２Ａ；２２Ｂ；２２Ｃ；２２Ｄ）の間の色濃度に関する測定値の、形成しようとする関係を、印刷機に付属するガイドスタンドおよび／または印刷機と結合された別の操作ユニットにおいてパラメータ化する、請求項１記載の方法。
【請求項１２】
特定のインキ装置（０７）に付属するインキ帯域（２２；２２Ａ；２２Ｂ；２２Ｃ；２２Ｄ）の５０％以上で、各色濃度が、各インキ帯域（２２；２２Ａ；２２Ｂ；２２Ｃ；２２Ｄ）に関して前調節された目標値の少なくとも半分の値に到達する必要があり、それも、調整装置（１２）が、色濃度に関する各インキ帯域（２２；２２Ａ；２２Ｂ；２２Ｃ；２２Ｄ）で求められる測定値の妥当性を検査しはじめるまえに、到達する必要がある、請求項１記載の方法。
【請求項１３】
特定のインキ装置（０７）に付属する各インキ帯域（２２；２２Ａ；２２Ｂ；２２Ｃ；２２Ｄ）が選択可能であり、調整装置（１２）によって、複数または全てのインキ帯域（２２；２２Ａ；２２Ｂ；２２Ｃ；２２Ｄ）を、それぞれ個別に順次行われるか、または同時に並行に行われる方法で選択する、請求項１記載の方法。
【請求項１４】
色濃度に関する選択されたインキ帯域（２２；２２Ｂ）で求められる測定値の妥当性を検査するために、選択されたインキ帯域（２２；２２Ｂ）の片側に配置された別の少なくとも２つのインキ帯域（２２；２２Ａ；２２Ｃ；２２Ｄ）から得られる測定値を用いる、請求項１記載の方法。
【請求項１５】
色濃度に関して選択されたインキ帯域（２２；２２Ｂ）で求められる測定値の妥当性を検査するために、選択されたインキ帯域（２２；２２Ｂ）の両側に配置された別の少なくとも２つのインキ帯域（２２；２２Ａ；２２Ｃ；２２Ｄ）から得られる測定値を用いる、請求項１記載の方法。
【請求項１６】
調整装置（１２）によって、各インキ帯域（２２；２２Ａ；２２Ｂ；２２Ｃ；２２Ｄ）に供給されるインキ量を調整する、請求項１記載の方法。
【請求項１７】
被印刷物（０９）に、同じ印刷プロセスの進行中に、異なる複数の印刷インキを塗布する、請求項１記載の方法。
【請求項１８】
被印刷物（０９）に塗布される異なる複数の印刷インキを、少なくとも１つの画像センサ（２４）を備えた検出装置（１１）によって同時に検出する、請求項１７記載の方法。
【請求項１９】
検出装置（１１）は、出力側に画像データを送信する、請求項１８記載の方法。
【請求項２０】
画像データを、検出装置（１１）と接続された調整装置（１２）によって評価し、該調整装置（１２）に供給された画像データから、被印刷物（０９）に塗布される複数の印刷インキの色濃度の測定値を求める、請求項１９記載の方法。
【請求項２１】
少なくとも１つの印刷インキの色濃度の、前述の方法で求められる少なくとも１つの測定値の妥当性を、別の少なくとも１つの印刷インキの、同様に求められる少なくとも１つの色濃度の測定値に対する、質的および／または量的な比に基づいて検査する、請求項２０記載の方法。
【請求項２２】
同じ測定領域（１３）に塗布される複数の印刷インキを、少なくとも１つの画像センサ（２４）によって同時に検出する、請求項１８記載の方法。
【請求項２３】
選択された測定領域（１３）に関して設定された基準比が調節可能である、請求項２２記載の方法。
【請求項２４】
選択された測定領域（１３）において、基準比から許容できない程度に異なる、求められた色濃度の間の比を、地汚れまたは塗布による汚れとして評価する、請求項２３記載の方法。
【請求項２５】
特定の印刷インキに関する選択されたインキ帯域（２２；２２Ｂ）で求められる色濃度の測定値と、同じ印刷インキに関する別の少なくとも１つのインキ帯域（２２；２２Ａ；２２Ｃ）で求められる色濃度の測定値との間の関係の検査に対して追加的に、印刷プロセス進行に関与する少なくとも３つの印刷インキから、その都度求められる印刷インキの色濃度の妥当性を、求められる少なくとも２つの別の色濃度に対する比に基づいて検査する、請求項１７記載の方法。
【請求項２６】
印刷プロセス進行に関与する少なくとも３つの印刷インキから、その都度求められる印刷インキの色濃度の妥当性を、求められる少なくとも２つの別の色濃度に対する比に基づいて検査する際に、少なくとも、次のような色濃度の測定値を、つまり、選択された測定領域（１３）で求められる少なくとも１つの別の色濃度の測定値に対して、選択された測定領域（１３）に関して設定された基準割合から許容できない程度に異なる割合にある色濃度の測定値を、妥当でないとして拒否する、請求項２５記載の方法。
【請求項２７】
印刷プロセス進行中、少なくともシアン、イエローおよびマゼンタの印刷インキを用いる請求項１７記載の方法。
【請求項２８】
少なくとも１つの色濃度を、印刷プロセス進行中、ラインカメラを用いて検出する、請求項１記載の方法。
【請求項２９】
妥当性について検査しようとする測定値を、濃度測定または測色により検出する、請求項１記載の方法。
【請求項３０】
オフセット印刷法で印刷する印刷機に用いる、請求項１記載の方法。
【請求項３１】
シート（０９）を印刷する印刷機に用いる、請求項１記載の方法。
【請求項３２】
印刷機の少なくとも１つのインキ装置（０７）において、調量装置の調節を、被印刷物（０９）を印刷するプロセス進行中に、印刷機の印刷プロセス中に検出される少なくとも１つの測定値に基づいて、調整装置（１２）によって変化させることができる、請求項１記載の方法。
【請求項３３】
調整装置（１２）が、相応のインキ装置（０７）の調節が変化するまえに、検出された測定値の妥当性を検査する、請求項３２記載の方法。
【請求項３４】
印刷機の少なくとも１つのインキ装置（０７）において、調量装置の調節を、被印刷物（０９）を印刷するプロセス進行中に、印刷機の印刷プロセス中に検出される少なくとも１つの測定値に基づいて、調整装置（１２）によって変化させることができ、
調整装置（１２）が、相応のインキ装置（０７）の調節が変化するまえに、検出された測定値の妥当性を検査し、
印刷プロセス進行に関与する少なくとも３つの印刷インキから、その都度求められる印刷インキの色濃度の妥当性を、求められる少なくとも２つの別の色濃度に対する比に基づいて検査する妥当性検査を、未印刷の被印刷物（０９）の表面の拡散反射特性の検査と、被印刷物（０９）上の測定領域（１３）で求められる１次的な色濃度と同じ測定領域（１３）で同時に求められる少なくとも１つの２次的な色濃度との関係の検査とに基づいて行う、請求項２５または２６記載の方法。
【請求項３５】
相応の測定領域（１３）で求められる１次的な色濃度および２次的な色濃度を、それぞれ未印刷の被印刷物（０９）の表面の拡散反射特性の検査で規定された基準値に関係付ける、請求項３４記載の方法。
【請求項３６】
検出された測定値の妥当性に対応する、特定の印刷インキに関する選択されたインキ帯域（２２；２２Ｂ）で求められる色濃度の測定値と、同じ印刷インキに関する別の少なくとも１つのインキ帯域（２２；２２Ａ；２２Ｃ）で求められる色濃度の測定値との間の関係の検査と、被印刷物（０９）上の測定領域（１３）で求められる１次的な色濃度と同じ測定領域（１３）で同時に求められる少なくとも１つの２次的な色濃度との関係の検査との２つの検査を、同時に行う、請求項３４記載の方法。
【請求項３７】
検出された測定値の妥当性に関する、特定の印刷インキに関する選択されたインキ帯域（２２；２２Ｂ）で求められる色濃度の測定値と、同じ印刷インキに関する別の少なくとも１つのインキ帯域（２２；２２Ａ；２２Ｃ）で求められる色濃度の測定値との間の関係の検査と、被印刷物（０９）上の測定領域（１３）で求められる１次的な色濃度と同じ測定領域（１３）で同時に求められる少なくとも１つの２次的な色濃度との関係の検査との２つの検査のうちの少なくとも１つの検査がネガティブな結果となる場合に、調整装置（１２）が、相応のインキ装置（０７）において実施される調節の変化を中断する、請求項３４記載の方法。
【請求項３８】
検出された測定値の妥当性の少なくとも１つの検査に関してネガティブな結果が得られる場合に、音響学的および／または視覚的な警告通知を、印刷機に付属するガイドスタンドに送る、請求項３７記載の方法。
【請求項３９】
検出された測定値の妥当性に対応する少なくとも１つの検査の検査基準を、印刷機に付属するガイドスタンドおよび／または印刷機と結合可能な別の操作ユニットにおいてパラメータ化する、請求項３４記載の方法。
【請求項４０】
パラメータ化を、表示装置に示されたプログラムマスクを用いて行う、請求項１１記載の方法。
【発明の詳細な説明】
【技術分野】
【０００１】
本発明は、請求項１の上位概念に記載された、印刷機において色調整を行う方法に関する。
【０００２】
国際公開第２００５／０９２６１３号パンフレットにおいて、調量装置を備えた少なくとも１つのインキ装置を有する、好適には多色刷りで印刷を行う印刷機が公知であり、ここではインキ装置の調量装置が、調整装置によって調整され、調整装置は、好適には光学的な検出装置と接続されており、検出装置は、印刷機内で印刷される被印刷物の表面に向けられたセンサによって、印刷の品質を検出する。
【０００３】
欧州特許公開第１４３７２２２号明細書において、複数の測定領域を備えた色測定ストリップを印刷する方法が公知であり、ここでは、個々の測定領域において、被印刷物に塗布された色濃度が測定され、印刷機の色調整に用いられ、その際、被印刷物の搬送方向に沿って延在する同じインキ帯域の内側に、被印刷物の搬送方向に対して横向きに相並んで配置された測定領域が、それぞれ３つの測定位置のグループに配置されており、その際、各グループに、印刷に関与する印刷インキに割り当てられた測定領域が、それぞれ同じ順番で相並んで配置されており、その際、特定の色の、別の両方のグループの測定領域で測定された両方の別の色濃度に対する、同じ色の、中央のグループの測定領域で測定された色濃度の比または差が形成され、その際、求められた比または求められた差が、予め規定された許容限度内に位置するか検査される。規定の限度の外側に位置する結果は、たとえば地汚れまたは塗布による汚れとして評価される。
【０００４】
欧州特許出願公開第１０８４８４３号明細書において、印刷製品を濃度計によって測定するための装置が公知であり、ここでは、濃度計−測定ヘッドの、所定の目標値を用いて計算された測定結果が、印刷機のインキガイドに関する調節命令に用いられ、その際、濃度計に後置された、計算ユニットを備えた評価ユニットによって、１つの測定領域と、同じインキで同じ測定領域タイプ（フルトーン（ベタ）もしくはハーフトーン）の、隣接する測定領域との色濃度値の比較が行われる。
【０００５】
ドイツ連邦共和国特許出願公開第１０２００４００３６１２号明細書において、印刷製品の所定部分の画像を評価する方法が公知であり、ここでは印刷製品の所定部分の画像が、電子式のエリア画像センサを有するカメラによって記録され、画像センサによって把握される画像は、電子評価ユニットによって読み取られ、処理され、その際、所定部分の内側で所定の第１の領域から記録された強度信号は、計算により規準データ値と関係付けされる。規準データ値は、印刷製品の未印刷領域の光拡散反射の強度に関する値を表しており、その際、はじめに白色規準の画像が記録され、この画像の強度信号から、全体部分に関する基本規準データが導き出され、その際、所定部分の画像を評価する際に、所定部分の内側で所定の第２の領域から修正データが導き出され、所定部分の内側で所定の第１の領域から記録された強度信号を基準データと計算により関係付けするまえに、規準データは、基本規準データと修正データとの計算による関係付けによって、求められる。
【０００６】
ドイツ連邦共和国特許出願公開第１０２００４０２１６０１号明細書において、少なくとも１つのインキ装置を備えた印刷機に用いる方法が公知であり、ここでは、相応のインキ装置の少なくとも１つの調節が、印刷機の、被印刷物の表面に印刷する印刷プロセスの進行中に、印刷プロセス中に印刷機内で検出される少なくとも１つの測定値に基づいて、調整装置によって変化可能であり、その際、調整装置は、検出された測定値の妥当性を、相応のインキ装置の調節を変化させるまえに検査する。測定値の妥当性に関して、たとえばたとえば色濃度範囲で差に関する限度値が規定される。限度値は、連続する２つの測定値または位置的に隣接する関連する２つの測定値が超過してはならない値である。
【０００７】
ドイツ連邦共和国特許出願公開第３８２９３４１号明細書において、データを形成するための濃度計、データを収集するためのメモリ、または分光光度計、および区域ごとに分割された色調量装置を制御するためのデータを評価する計算機を用いた、印刷機におけるインキ供給を調整するために印刷画像のデータを検出するための方法が公知であり、ここでは、印刷画像が、その構成に応じて、画像区域に分割され、各画像区域は、インキ調量装置の多くの区域にわたって様々に延在することができ、その際、各画像区域データは、画像区域メモリに格納され、その際、各画像区域の画像領域において、濃度計もしくは分光光度計によって色濃度が測定され、その際、得られたデータは計算機に伝達され、計算機は、データの完全性および正確性を検査し、その際、データは、有効な検査に際して画像データメモリに格納され、濃度計もしくは分光光度計が次の測定のために作動させられ、後続のステップが測定サイクル内で行われるか、または、データの有効な検査が得られない場合、エラー通知が出力され、濃度計は、測定サイクル内で、再度同じステップのために作動させられる。
【０００８】
ドイツ連邦共和国特許出願公開第３５４３４４４号明細書において、網版法で作動する多色刷り印刷機において均等な印刷結果を得るための方法が公知であり、ここでは、被印刷物の隣接するインキ帯域への印刷インキの供給が、調節部材によって変化可能であり、その際、印刷過程を調節するために、インキ帯域の内側に印刷される測定領域でフルトーン（ベタ）濃度および／または網点サイズが検出され、フルトーン濃度および／または網点サイズが、これらに割り当てられた許容範囲から逸脱する場合、調節部材の作動によって修正して印刷過程に影響が及ぼされ、その際、印刷過程の間に色の平衡を維持するために、異なる印刷インキのフルトーン濃度および／または網点サイズの、繰り返し選択された関係が求められ、選択された関係が、割り当てられた許容範囲から逸脱する場合、制御機構の作動によって修正して印刷過程に影響が及ぼされる。
【０００９】
旧東ドイツ国経済特許第８００４６号明細書において、輪転印刷機において損紙のサンプルを検出する方法が公知であり、ここでは、単数または複数の光電式のスキャナまたは照明放射および測定放射が、片側から、紙の未印刷面の拡散反射特性を測定し、その際、この方法により、過度に少量のインキが供給された未印刷のサンプル等を検出するまえに、測定信号が考慮される。
【００１０】
本発明の課題は、印刷機の色調整の方法を提供することである。
【００１１】
本発明によれば、この課題は、請求項１の特徴部に記載した構成によって解決される。
【００１２】
本発明により得られる利点によれば、印刷機の内側で印刷プロセス進行中に自動的、つまりオペレータによる作業なく行われる色調整が、能動的で自動の色調整にとって実際に効果的である印刷機の運転状態でしか行われない。見出された構成により、自動の色調整が行われる条件が規定される。したがって印刷機のあらゆる運転状態で能動的で自動の色調整が有効であるということはなく、つまり、はじめて作動する時点（その時点でインキ伝達過程がはじめて行われる）では有効でない。このような条件は、好適には印刷プロセスのまえに規定される。条件は、好適には自由にパラメータ化可能であり、インキ装置を調整する調整装置に記憶される。さらにたとえば関係が形成され、この関係に基づいて、同じ印刷インキの、別のインキ帯域で求められる色濃度の各測定値に対する、選択されたインキ帯域で求められる印刷インキの色濃度の、印刷機内で検出された少なくとも１つの測定値の妥当性が検査され、その際、インキ帯域は、被印刷物の搬送方向に対して横向きに好適には相並んで配置されている。色調整のために、専ら、同じ印刷インキにおいて求められる別の測定値に関して妥当であるとされる測定値が用いられる。このような方法は、短時間的で特異な妨害が、色調整を行う調整装置の調整動作を不要に不安定化することがないように、役立つ。その都度の色濃度を表す測定値から形成される前述の少なくとも１つの関係は、インキ装置をたとえば電子式にかつ／またはプログラムによって調整する調整装置によって、印刷機の印刷プロセス進行中に、好適には変化について検査される。印刷機の内側で印刷プロセス進行中に好適には継続的に行われる、測定値の妥当性に関する検査、ならびに検査に続く、選択的な、色調整に関する相応の測定値の使用は、主にインキ装置を調整する調整装置の安定した調整動作に役立ち、このことは、高い経済性を有する高品質な印刷製品の形成を助勢して、印刷運転の不要な中断を回避するのに役立つ。
【００１３】
本発明の実施の形態を図示して、以下に詳説する。
【図面の簡単な説明】
【００１４】
【図１】オフセット印刷機の概略図である。
【図２】測定ストリップを備えたシートの一部を示す図である。
【図３】付属の照射装置を備えた、シートから拡散反射される光を検出する検出装置の概略図である。
【図４】１つの測定ストリップと複数のインキ帯域とを備えたシートを示す図である。
【００１５】
図１は、枚葉印刷機として形成された印刷機を例示している。択一的に、印刷機は、ウェブ印刷機として形成してもよい。印刷機は、特にオフセット印刷機として構成されており、印刷機は、従来慣用の、または水なしの、つまり湿し媒体を供給することなく印刷するオフセット印刷法を用いて印刷することができる。
【００１６】
印刷機は、好適には複数の、同じ被印刷物０９（図２）をそれぞれ１つの色相（ブラック、シアン、マゼンタまたはイエロー）の印刷インキで印刷する印刷部０１を備えている。図１の実施の形態では、矢印で示唆する被印刷物０９の搬送方向Ｔにみて、タンデム型で相前後して５つの印刷部０１が設けられており、各印刷部０１は、それぞれたとえばブランケット胴１４と協働する少なくとも１つの版胴０８を備えている。各版胴０８に、それぞれインキを版胴０８に塗布する（付着させる）インキ装置０７が対応して配置されている。印刷部０１に続いて、被印刷物０９の搬送方向Ｔにみて、ラッカタワー０２として構成されたラッカ着け装置ならびにデリバリ搬送部０３およびデリバリ０４が設けられている。枚葉印刷機の反対側の端部に、シートのフィーダ０６が配置されている。相前後して配置された印刷部０１の数は、必要に応じて、図１に示す実施の形態よりも大小してよい。したがって１０個まで拡張して印刷部０１を設けてもよい。複数の印刷部０１の少なくとも１つは、インプリンタとして形成することができるので、印刷機において、瞬間的な刷版交換、つまり印刷工程の進行から該当する版胴０８を分離することに基づいて、印刷機の生産中に、該当する印刷部０１の各版胴０８で刷版の交換が可能である。表面および裏面を印刷するための、つまり枚葉印刷機を通走する被印刷物０９に両面印刷するための枚葉印刷機を設けてもよく、この機能を実現するために、たとえば反転装置を備えることができる。インプリンタ機能は、表面および裏面に印刷するために、つまり被印刷物０９の両側に設けることができる。インプリンタとして構成可能な印刷ユニット０１は、装飾用インキまたは特殊インキで印刷するために使用することもできる。列状に印刷部０１を配置する構造の他に、被印刷物０９が略鉛直にガイドされるタワーとして構成された配置構造にしてもよい。多くの場合、被印刷物０９の搬送方向Ｔにみて、明色の印刷インキ、たとえばイエローまたはマゼンタを塗布するまえに、先ず暗色の印刷インキ、たとえばブラックまたはシアンが塗布される。
【００１７】
被印刷物０９は、使用される印刷機のタイプに応じて、分解された植物繊維から製造される材料から成るウェブまたはシート０９であり、使用方式および製品の種類の坪量に応じて、紙（＜１５０ｇ／ｍ2）、厚紙（１５０〜６００ｇ／ｍ2）または段ボール（＞６００ｇ／ｍ2）に分類される。シート０９のサイズは、印刷機を通走する搬送方向Ｔ（図４）に沿ってたとえば１０００ｍｍ以上であり、搬送方向Ｔに対して横向きにたとえば７００ｍｍ以上であってよい。ウェブは、印刷機を通走する搬送方向Ｔに沿って１０００ｍｍ以上の幅を有していてよい。ウェブ印刷では、たとえば２６００ｍｍまでの幅が実現される。
【００１８】
被印刷物０９の印刷性を改善するために、紙から成る被印刷物０９は、片側または両側の表面に塗工することができ、つまり顔料、結合剤、添加物、たとえば光学的に高明度化させる材料から成る、単層または多層に塗布される白色の塗工物を有することができ、これによって色相の明度および／または製造に起因する構造または粗さに関して被印刷物０９の表面に所望の影響が及ぼされる。塗工量は、面積あたりの重量で、５〜２０ｇ／ｍ2、好適には５ｇ／ｍ2〜１０ｇ／ｍ2の範囲である。被印刷物０９の表面を塗工したあとで、艶出し、つまりカレンダー内で被印刷物０９の表面の光沢化を行うことができ、艶出しは、被印刷物０９の光学特性および被印刷物０９の印刷性に影響を及ぼす。被印刷物０９の表面は、たとえば銀行券または証書として使用するために、凹凸加工（エンボス加工または圧刻加工）された構造を有してもよく、構造は、比較的平らであっても、また浮き彫り（レリーフ）であってもよい。
【００１９】
印刷機を被印刷物０９が通走する際に、被印刷物を取り囲む空気、被印刷物の表面に塗布される印刷インキまたは印刷プロセスに供給される湿し媒体からの湿気による影響、または機械式の力の作用による影響は不可避である。被印刷物０９の状態に応じて、これらの影響は、印刷機を通走する搬送方向Ｔに対して横向きおよび／または搬送方向Ｔに沿って、被印刷物０９の表面の伸張度に様々に作用し、その際、要因に応じて、湿気による伸張および／または機械による伸張との間で区別が行われる。被印刷物０９に現れる作用は、被印刷物０９の印刷に影響を及ぼす。
【００２０】
印刷に少なくとも複数の印刷インキが関与しており、印刷インキは、網版における色混合プロセスで複数の色相を重ねて印刷して補正したあとで、多色の印刷像２１が形成され、その際、各色分解において、印刷に関与する１色の印刷インキがそれぞれ被印刷物０９に印刷される。多くの場合原色の印刷インキとしてマゼンタ、シアンおよびイエローの色相で印刷インキが用いられ、これらの色が混合され別の色相が形成される。前述の３つのカラーインキからの混合物としてのグレートーンまたはブラックを形成するための技術的な手間を減じるため、ひいては高価なカラーインキを節約するために、多くの場合、追加的にブラックの色相の印刷インキが用いられる。さらに単数または複数の特殊インキで印刷が行われ、これにより印刷に顧客特有の色相または効果を形成することができる。印刷に用いられる印刷インキの測色による特性が、印刷機内で印刷インキが塗布される被印刷物０９の性質と関連して、印刷時に再現可能な色域に多大な影響を及ぼす。印刷インキの測色による特性は、とりわけインキ顔料の化学組成にも影響される。多くの場合、比較的高価なインキ顔料は、たとえば印刷インキで再現可能な色空間を拡張することができる。さらに使用される被印刷物０９によって、たとえば印刷インキで表現可能な色コントラストが影響される。塗工紙では、原色の重ね刷りで、フルトーンに関して、約２密度単位（略して２Ｄ）の光学濃度が得られ、特にブラックの印刷インキに関して得られる。
【００２１】
網版の色混合プロセスでは、多色の印刷像２１は、それぞれ網点を有する色分解によって印刷技術的にまとめられ、その際、印刷に関与する全ての印刷インキのためにそれぞれ１つの色分解が設けられており、異なる色分解の網点が被印刷物０９上にそれぞれ独立して（間隔を有して）相並んで、また重ね合わせて塗布される。印刷品質は、スクリーンの種類および自由度、つまり網点の形状および配列に影響される。オフセット印刷法では、網点は、典型的には、１０μｍのサイズから確実に転移することができ、その際、多色刷りで、１ｃｍあたり５０〜８０線のスクリーン幅が一般的である。線細工構造を表現するための微細なスクリーンは、１ｃｍあたり１５０線まで有しており、したがってスクリーンが細かいほど、印刷の解像度が高くなり、ひいては微細な構造の再現機能が高くなる。多色刷りにおいてモアレ、つまり干渉現象またはロゼッタ発生を回避するために、望ましくはスクリーンが非周期的に形成される。周期的なスクリーンと非周期的なスクリーンとの組み合わせによって、印刷の品質がさらに高められる。たとえばそれぞれ１５度の角度間隔の、印刷に関与する色分解の適切なスクリーン角度によって、モアレはほぼ回避される。
【００２２】
網点は、たとえば円形、正方形または楕円形の形状を有してよく、振幅変調スクリーン、周波数変調スクリーンまたは強度変調スクリーンに配置されている。振幅変調スクリーンでは、個々の網点は、一定の中心点距離を有していて、面積の広がりで変化しており、これに対して周波数変調スクリーンでは、個々の網点は、中心点距離が変化する一定の面積の広がりを有している。強度変調スクリーンでは、被印刷物０９に転移される網点の層厚さが変化され、これによって網点の光学濃度が変化される。多次元の変調によるスクリーンの混成した構成も実現可能である。多色刷りでは、印刷に関与する異なる色分解の網点の相対的な位置決めならびに各色分解における網点のエリアごとの分布の程度が、網点の重ね刷りに際して印刷品質に影響を及ぼす。重ね刷りに際して、色分解の相対位置は、色レジスタまたは見当合わせとも呼ばれる。
【００２３】
印刷に用いられる印刷インキの特性は、印刷品質に持続的に作用する。印刷インキの特性に、レオロジー特性も数えられ、つまり、被印刷物０９ならびにまえもって印刷された少なくとも１つの色分解の網点における流動性および付着性が考慮される。印刷インキの流動性は、粘性によって特定される。印刷インキの粘性が高くなるほど、印刷インキは、より粘りつきが高く、その結果、印刷インキは滲みにくく、分配して均質の膜を形成するのが困難である。印刷インキの付着性は、粘りつきによって明記される。タック値として表された印刷インキの粘りつきが高いほど、ヒビ割れしにくいので、印刷インキの膜を回転体の配置構造を介して搬送して被印刷物０９に転移させるために、比較的高い力が要求され、これにより、高い摩擦抵抗に基づいて印刷機に熱が形成されることになる。
【００２４】
印刷インキの粘性および粘りつきは、温度に影響される。たとえば枚葉印刷機では１８０００枚／ｈであり、またはウェブ印刷機では１６ｍ／ｓであってよい印刷機の生産速度（この速度で被印刷物０９が印刷機を通って搬送される）も、少なくとも間接的に印刷インキの粘性および粘りつきに作用する。複数の印刷インキを重ね刷りする際に、あとで印刷される印刷インキが予め印刷された印刷インキに付着する（乗る）ようにするためには、あとで印刷される印刷インキが、比較的低いタック値を有する必要がある（トラッピング）。
【００２５】
図１に示す印刷機は、少なくとも１つの印刷部０１に、好適には光学的な少なくとも１つのセンサ２４（図３）を設けた少なくとも１つの検出装置１１を備えており、センサ２４は、印刷機内で印刷される被印刷物０９の表面に向けられていて、印刷品質に関連する少なくとも１つの測定値を検出する。この測定値から得られる好適にはデジタルのデータは、光学的な検出装置１１から調整装置１２に送信され、したがって調整装置１２は、少なくとも１つのインキ装置０７を調節して、目標値として設定された印刷品質と光学的な検出装置１１によって検出される印刷品質の実際値との間の差に応じて、差が好適には許容されるトレランス限度に達するか、またはこれを超えると、目標値と実際値との間の差を減じるようにする。調整装置１２によって行われる、インキ装置０７から被印刷物０９に転移される印刷インキに関する調整は、検出装置１１から調整装置１２に送られるデータに直接に依存している。
【００２６】
各インキ装置０７は、被印刷物０９に転移しようとする印刷インキの量を調整するための調量装置を備えている。この調量装置は、版胴０８の軸方向にみて、相並んで複数、たとえば３０〜６０またはそれ以上の、好適にはそれぞれ同幅の帯域（ゾーン）２２、いわゆるインキ帯域（インキゾーン）２２を有しており（図２）、被印刷物０９に転移しようとする印刷インキの調量は、調整装置１２によって、様々な帯域２２で多様に調節可能であり、必要な場合後調節可能である。調量装置は、たとえば制御可能なねじを備えており、多色刷りで印刷を行う印刷機では、全体として、それぞれ個別に制御可能な数百のねじを設けることができる。調量装置は、調整装置１２によって与えられる規準値に応じて、被印刷物０９に転移しようとする印刷インキの量を、層厚および／または塗布時間の調節によって調量する。したがって調量装置は、少なくとも１つのインキポンプを用いるインキ供給系として、たとえばポンプ式インキ装置として形成してもよく、印刷インキは、インキ装置０７のインキドクタに向かってガイドされ、インキドクタで、好適には帯域ごとに、個別に異なるインキ帯域２２に作用する調節手段によって調量可能であり、その際、調節手段は、たとえば電動式の少なくとも１つの調節駆動装置によって駆動可能なインキ調量手段、たとえば少なくとも１つのインキ出し調節ブレードまたはインキ出し調節スライダを備えており、その際、調節駆動装置は、たとえば調節装置１２によって調節可能な調節モータとして形成されている。インキ装置０７は、インキ搬送経路が短い短路型インキ装置として、また、インキ搬送経路にたとえば５つ以上のローラを備えた慣用のローラ式インキ装置として形成してよい。
【００２７】
印刷機では、版胴０８および版胴０８に対応して配置されたブランケット胴１４は、好適にはそれぞれ独立して、たとえば好適には位置調整式の電気駆動装置によって駆動される。したがって印刷機は、好適にはシャフトレス式に形成されており、その際、版胴０８および／またはブランケット胴１４の駆動装置は、対応する圧胴１６の駆動装置から機械的に分離されている。版胴０８およびブランケット胴１４は、たとえば歯車と機械的に結合されていて、共通の、好適には位置調整式の駆動装置を備えることができるが、共通の駆動装置は、いずれにせよ圧胴１６の駆動装置から機械的に分離されている。少なくとも１つのこの駆動装置によって、圧胴１６または印刷機の別の版胴０８に対する、版胴０８および／またはブランケット胴１４の位相位置または角度位置が調節可能であり、好適には調整可能であり、その際、位相位置または角度位置は、周方向レジスタの調節に用いられる。ブランケット胴１４に版胴０８が形状結合（形状結合とは、嵌め合いまたは噛み合いなどの部材相互の形状的関係に基づく結合を意味する）式に連結した状態でも、位相調節するために調節駆動装置を設けてもよい。周方向レジスタは、被印刷物０９の搬送方向Ｔに対して横向きに向けられた、被印刷物０９の規準エッジまたは規準ラインに対する色分解の位置精度に影響を及ぼす。被印刷物０９は、圧胴１６と、圧胴１６と協働するブランケット胴１４との間を通ってガイドされる。さらに図１に例示する印刷機の各印刷部０１は、版胴０８と協働する湿し装置１７を備えている。印刷機の少なくとも２つのインキ装置０１によって同じ被印刷物０９に印刷される印刷インキは、好適には互いに異なる色相を有している。
【００２８】
印刷品質を検出するために設けられた光学的な検出装置１１は、好適には検査システムとして形成されていて、特に印刷機を通って搬送する間に被印刷物０９を検査するインライン検査システムとして形成されている。検査システムは、光学的な検出装置１１の機能性を拡張し、被印刷物０９に塗布される印刷インキの、濃度測定により検出可能な光学濃度、および／または測色計により、特に分光光度計により検出可能な色相、および／または色分解が相互に占めるインキレジスタまたは周方向レジスタ、および／または色分解の側方レジスタの検出に対して選択的に、または特に追加的に、印刷において場合によっては認められる障害（これはたとえば被印刷物０９の搬送または印刷プロセスに起因する）が検出され、障害を克服するためまたはエラーを含む印刷結果を排除するための適切な措置が講じられ得る。検査システムによって検出される障害は、たとえば擦れ、折れ、紙粒子または汚染物粒子、インキ堆積物またはヒッキーである。
【００２９】
光学的な検出装置１１は、好適には非接触式に、その基本機能において、印刷機内で印刷される被印刷物０９上の、印刷に関与する少なくとも１つの印刷インキの乗り具合を検出する。印刷機内で印刷された被印刷物０９上の、印刷に用いられる少なくとも１つの印刷インキが、光学的な検出装置１１の検出箇所に存在する場合、光学的な検出装置１１は、印刷インキの少なくとも１つの特性に基づいて印刷インキの存在を検出する。
【００３０】
印刷インキの特性は、測色による色相、光学濃度、被印刷物０９に塗布された網点の層厚、形状、位置、角度またはエリア分布であってよい。光学的な検出装置１１は、たとえば印刷に関与する少なくとも１つの別の印刷インキの少なくとも１つの網点の位置に対する、印刷に関与する１つの印刷インキの少なくとも１つの網点の位置、または、被印刷物０９上に印刷された印刷像２１における、印刷に関与する１つの印刷インキの少なくとも１つの網点の位置を検出することができ、ここでは前者の第１の検出オプションは相対測定であり、後者の第２の検出オプションは絶対測定、つまり印刷しようとする印刷像２１に関する網点の座標の特定である。
【００３１】
特に印刷機が被印刷物０９を両面で印刷する場合、つまり印刷機が両面刷りで作動する場合、光学的な検出装置１１は、同じ被印刷物０９のそれぞれ反対側の面に印刷された印刷像２１と、これらの印刷像２１の相対位置とを検出し、つまりいわゆる反転レジスタである。被印刷物０９の両面の一方に印刷される印刷像２１は、好適にはそれぞれ複数の色分解から成っている。
【００３２】
光学的な検出装置１１は、たとえば印刷機で印刷される被印刷物０９の性質も検出する。被印刷物０９の性質は、特に印刷または刷り損じに関する特性である。したがって被印刷物０９の性質は、湿気による膨張（伸長）および／または印刷機を通走する搬送方向Ｔに対して横向きおよび／または搬送方向Ｔに沿った、表面の機械的な膨張であってよい。また被印刷物０９の性質は、表面に塗布される塗工量であってよく、特に被印刷物０９の表面に塗布される、５ｇ／ｍ2を上回る面積あたり重量を有する塗工量であってよい。さらに被印刷物０９の性質は、特に表面の白色度であってもよい。
【００３３】
図２に部分的に示すシート０９の一例として示すように、光学的な検出装置１１は、少なくとも１つの測定領域１３を検出し、相応の測定領域１３は、印刷プロセスに関与する特定の色分解に割り当てられている。測定領域１３は、少なくとも１つの印刷インキの網点を備えていて、たとえば相応の色分解に割り当てられたフルトーン領域（ベタ領域）として形成されている。測定領域１３は、好適には被印刷物０９に印刷される印刷像２１の印刷部分の外側に配置された測定ストリップ１９の構成部分であってよく、その際、たとえば版胴０８の軸方向にライン状に延在する測定ストリップ１９に、たとえば複数の、それぞれ好適には同数の、たとえば相並んで位置する５つの領域の群を有しており、その際、各群に、それぞれ印刷インキ、ブラック、シアン、マゼンタ、イエローの、たとえばフルトーン領域として形成された測定領域１３ならびに未印刷の白色領域２３が設けられている。好適には正方形に形成された各測定領域１３ならびに白色領域２３は、それぞれ６×６ｍｍのサイズを有している。したがって相並んで配置された４つの測定領域１３ならびに白色領域２３から成る群は、版胴０８の軸方向にみてたとえば３０ｍｍにわたって延びており、この延伸度は、たとえばインキ装置０７の調量装置のインキ帯域２２の１つの幅ｂ２２に相当する。インキ装置０７の調量装置の各インキ帯域２２には、たとえば相並んで配置された４つの測定領域１３ならびに白色領域２３から成る前述の群が配置されている。
【００３４】
検出装置１１は、特に光学的な装置、たとえば対物レンズを用いることによって、搬送方向Ｔに対して横向きに延在する色分解の少なくとも１つの幅を完全に検出するように形成されていて、好適には搬送方向Ｔに対して横向きに延在する被印刷物０９の幅をも検出するように形成されている。検出装置１１は、印刷機内で、好適には被印刷物０９の搬送方向Ｔにみて最も下流側に位置する印刷部０１のさらに下流側に配置されている。両面印刷で作動する枚葉印刷機では、検出装置１１は、たとえば被印刷物０９のターニング装置の上流側に配置されている。検出装置１１は、センサ２４の検出に応じて、検出装置１１の出力側に、好適にはデジタルデータ、特に画像データを送信する。画像データは、検出装置１１と接続された調整装置１２によって受信され、評価される。
【００３５】
検出装置１１のセンサ２４は、好適には画像センサ２４として形成されている。検出装置１１は、複数のセンサ２４を備えてよく、複数の画像センサ２４を備えてもよい。センサ２４は、たとえばフォトダイオードとして形成されており、画像センサ２４は、たとえばＣＣＤチップまたはＣＭＯＳチップとして形成されている。センサ２４は、好適には複数の色相を特に同時にセンシングする。検出装置１１は、センサ２４として、たとえばラインカメラまたはエリアカメラを備えている。
【００３６】
検出装置１１と作用接続された、好適には、調整装置１２と接続されたいわゆる照明装置１８が設けられている。照明装置１８は、光を持続的または断続的に照射することができ、たとえばコールドライト源として形成されており、つまり、光に、ごく僅かな赤外成分しか有しないか、または実質的に赤外成分を有していない光源として形成されている。照明手段として、照明装置１８には、たとえば複数の発光ダイオードまたはレーザダイオードが用いられる。好適には、照明装置１８に、特にその照明手段のために、冷却装置が設けられている。冷却装置は、ガス状または液状の冷媒で照明手段の冷却を行うことができる。照明装置１８は、被印刷物０９の搬送方向Ｔに対して横向きの、測定領域１３、色分解または被印刷物０９の検出しようとする幅に容易に適合させるために、相並んで設置可能な複数のモジュールから成っていてよい。
【００３７】
照明装置１８は、好適には被印刷物０９に印刷インキを転移させるブランケット胴１４の近傍に、または圧胴１６の近傍に配置されている。枚葉印刷機では、照明装置１８は、たとえば印刷機の最も下流側に位置する印刷部０１のさらに下流側でフットスペースの下方に配置されている。照明装置１８は、印刷済みの被印刷物０９の表面に対して３０ｍｍ〜２００ｍｍの範囲で、好適には８０ｍｍ〜１４０ｍｍの範囲で間隔を有しており、これに対して検出装置１１のセンサ２４は、被印刷物０９に対して１０ｍｍ〜１０００ｍｍ、好適には５０ｍｍ〜４００ｍｍの範囲で測定される間隔を有している。印刷済みの被印刷物０９の表面に対する照明装置１８の間隔は、一方では被印刷物０９の表面の均等で集中的な照明が行われ、他方では被印刷物０９の搬送時に巻き上がる汚染粒子またはインキ飛沫による照明装置１８の汚染が実質的に回避されるように選択されている。
【００３８】
調整装置１２によって行われる、インキ装置０７から被印刷物０９に塗布される印刷インキに関する調整が、検出装置１１から調整装置１２に供給されるデータに依存しているので、検出装置１１によって検出された測定値は、歪曲されておらず、信頼できるものである。したがってそうでない場合には、識別されていない歪曲された測定値により、不意に、調整装置１２の不都合な調整動作が生じ、この調整動作は、生産プロセスで得ようとする印刷品質にとって不都合である。したがって自動で行われるインキ調整をより良好に安定化させるために、インライン型のインキ調整装置（ここでは少なくとも１つのインキ装置０７が印刷機の生産プロセス進行中に調量装置のその都度の調節時に調節され、必要に応じて後調整される）では、検出装置１１によって検出される測定値は、好適には継続的にその妥当性に関して検査され、妥当であるとみなされた測定値だけが、調整装置１２によって行われる、少なくとも１つのインキ装置０７の調整に用いられる。検出装置１１によって検出された測定値は、たとえば汚染粒子によって、地汚れまたは印刷インキの塗布による汚れ、もしくは生産プロセス進行中に生じる別の不都合な影響によって歪曲される恐れがある。単に特異な、つまり個別の異常値として、検出装置１１によって検出された測定値にみられる短時間の妨害効果は、できるだけインキ調整を不安定化させないようになっている。他方では、次第に悪化するインキ塗布を明確に認識して、インキ装置０７の調量装置の適切な調節によって妨害作用に対して積極的で効果的な手段を講じるために、色調整は、十分に敏感である必要がある。
【００３９】
このために少なくとも１つのインキ装置０７を備えた印刷機に用いる方法が役立ち、ここでは相応のインキ装置０７の少なくとも１つの調節が、被印刷物０９の表面を印刷する印刷機の印刷プロセス進行中に、印刷プロセス中に印刷機において検出される少なくとも１つの測定値に基づいて、調整装置１２によって変化可能であり、その際、調整装置１２は、該当するインキ装置０７の調節を変化させるまえに、検出された測定値のたとえば妥当性を検査し、調整装置１２は、たとえば未印刷の被印刷物０９の表面の拡散反射特性、および／または少なくとも１つの同じ測定箇所、つまり同じ測定領域１３において特に同時に求められる２次的な色濃度に対する、１つの測定箇所、たとえば測定領域１３において求められる１次的な色濃度の関係、および／または同じインキ装置０７の、隣接する少なくとも１つのインキ帯域で求められる色濃度に関する、該当するインキ装置０７のインキ帯域２２で求められる色濃度の関係を検査する。好適には、検出された測定値の妥当性に関与する少なくとも２つの検査が、調整装置１２によって同時に行われる。調整装置１２は、該当するインキ装置０７において実施される調節の変化を中断し、それも、特に、検出された測定値の妥当性に関する少なくとも１つの検査がネガティブな結果となる、つまり調整装置１２によって検出された相応の測定値が妥当でないと評価され、色調整に用いられない場合に、中断する。この場合、調整装置１２によって、たとえば音響学的または視覚的（光学的）な警告通知が、印刷機に付属するガイドスタンドにもたらされる。その際、妥当性について検査される測定値が濃度測定により検出されるか、または測色により検出されるかは重要ではない。
【００４０】
前述したように、妥当性について検査される測定値は、たとえばカメラ、特にラインカメラによって検出される。好適な形態では、検出される測定値の妥当性に関係する少なくとも１つの検査の検査基準は、たとえば印刷機に付属するガイドスタンドおよび／または印刷機と結合された別の操作ユニットにおいてパラメータ化可能である。
【００４１】
インキ調整の別の構成でも、たとえば印刷機内で求められる少なくとも１つの測定値の妥当性を検査する方法が実現され、ここでは、測定値が、印刷機を通って搬送される被印刷物０９に塗布される印刷インキの濃度を表し、その際、被印刷物０９に、異なる複数の印刷インキが塗布され、その際、被印刷物０９に塗布された印刷インキは、少なくとも１つの画像センサ２４を備えた検出装置１１によって同時に検出され、その際、検出装置１１は、出力側に、電子の、特にデジタルの画像データを提供し、その際、画像データは、検出装置１１と接続されたたとえば電子式の調整装置１２によって評価され、その際、調整装置１２に送られた画像データから、被印刷物０９に塗布される複数の印刷インキの色濃度の測定値が、特にプログラム技術により、つまり特別なフィルタおよび／または計算方法を用いることにより求められ、その際、少なくとも１つの印刷インキの色濃度の、そのようにして求められた少なくとも１つの測定値の妥当性が、少なくとも１つの別の印刷インキの色濃度の、同様に求められた少なくとも１つの測定値に対する質的および／または量的な割合に基づいて、検査される。
【００４２】
上述するように、調整装置１２は、検出装置１１を用いながら、追加的または択一的に、未印刷の被印刷物０９の表面の拡散反射特性を、たとえば印刷機の内側において印刷プロセス進行中に自動の色調整のための方法に関して検査し、その際、被印刷物０９は、印刷機内で行われる印刷プロセスで継続的に印刷され、その際、印刷機によって被印刷物０９に塗布される印刷インキの拡散反射特性の測定が評価され、その際、未印刷の被印刷物０９の表面の拡散反射特性に関する、印刷インキの拡散反射特性を把握する少なくとも１つの測定値が評価され、インキ調整のために用いられ、その際、該当する印刷プロセスに用いられる被印刷物０９の材料性質が不変であるという条件下で、未印刷の被印刷物０９の表面の拡散反射特性における、印刷機の印刷プロセス進行中における安定性が検査され、その際、色調整の調整装置１２において、基準値として、未印刷の被印刷物０９の表面の拡散反射特性に対応する測定値が置かれ、その際、印刷機の印刷プロセス中、未印刷の被印刷物０９の表面の拡散反射特性が継続的に測定され、その際、検出される測定値の、予め基準値として置かれた測定値との差が検査され、その際、基準値から逸脱する、つまり基準値とは異なる測定値は、誤って塗布された印刷インキとして評価される。その際、基準値とは異なる測定値は、特に地汚れまたは塗布による汚れとして評価される。好適な構成では、基準値とは異なる測定値が、印刷機に用いられる色調整方法の使用を中断することができる。
【００４３】
具体的な構成では、たとえば測定ストリップ１９に含まれる未印刷の少なくとも１つの白色領域２３の拡散反射特性が評価され、印刷機の該当する生産プロセスの材料特性が不変であるという条件下で、生産プロセスの進行中における安定性について検査される。したがって白色領域２３の拡散反射特性から導き出された基準値が不安定な場合には、この規準値に関連する、別の測定領域１３に起因する別の測定値も、歪曲された結果となる。
【００４４】
その際、印刷済みおよび／または未印刷の被印刷物０９の表面の拡散反射特性の測定は、それぞれたとえば濃度測定または色測定により行われる。このような検査方法を用いると、被印刷物０９は、印刷機により行われる印刷プロセスにおいて好適には継続して印刷される。好適には、印刷機の印刷プロセス進行中に、被印刷物０９の表面の、異なる複数の測定箇所で、未印刷の被印刷物０９の表面の拡散反射特性が、継続的に測定される。したがって未印刷の被印刷物０９の表面の拡散反射特性は、印刷機による印刷プロセス中に被印刷物０９に形成される印刷像２１で測定することもできる。これに対して選択的に、未印刷の被印刷物０９の表面の拡散反射特性は、印刷機による印刷プロセス中に被印刷物０９に形成される印刷像の外側で測定される。被印刷物０９として、たとえば連続するシート０９が印刷される。未印刷の被印刷物０９の表面の拡散反射特性は、印刷機による印刷プロセス中に被印刷物０９に形成される色測定ストリップ１９の少なくとも１つの測定領域１３で、好適には複数の測定領域１３で測定される。その際、未印刷の被印刷物０９の表面の拡散反射特性は、シート０９が印刷機を通走する搬送方向Ｔにみて、たとえばシートグリッパの直ぐ下流側で測定される。基準値とは異なる測定値は、地汚れまたは塗布による汚れとして評価される。したがって基準値とは異なる測定値（たとえば調整装置１２から送信される信号によって形成される）によって、印刷機内で用いられる色調整特性の使用が中断される。ここでも基準値とは異なる測定値は、印刷機および／または印刷機に付属するガイドスタンドに、たとえば音響学的および／または視覚的な警告通知をもたらす。説明したように、未印刷の被印刷物０９の表面の少なくとも拡散反射特性は、たとえばラインカメラで検出される。
【００４５】
さらに被印刷物０９に異なる複数の印刷インキが塗布される方法では、被印刷物０９の同じ測定箇所で、複数の印刷インキの色濃度が求められ、印刷機のプロセス進行中にたとえば検出装置１１により検出される、印刷機を通走する被印刷物０９に塗布される印刷インキの色濃度を表す少なくとも１つの測定値の妥当性が検査され、それも、該当する測定箇所で求められる１つの色濃度の少なくとも１つの測定値の、そこで同様に求められる少なくとも１つの別の色濃度の少なくとも１つの測定値に対する質的および／または量的な割合が検査され監視されることによって、検査される。その際、少なくとも、選択された測定箇所で求められる少なくとも１つの別の色濃度の測定値に対して、選択された測定箇所に設定された基準割合とは異なる割合にある、該当する色濃度の測定値は、妥当でないとして拒否される。
【００４６】
図２に示す部分を斜視図で示す図３から看取されるように、印刷機に配置された、検出装置１１と協働する照明装置１８が、たとえば白色光を、被印刷物０９の表面に配置された、少なくとも１つの印刷インキで印刷された測定箇所に照射する。この測定箇所は、たとえば測定ストリップ１９の１つの測定領域１３によって与えられている。検出装置１１は、少なくとも１つのセンサ２４によって、測定箇所から拡散反射される光を検出する。好適には、検出装置１１は、複数の、たとえば３つのセンサ２４を備えており、各センサ２４は、それぞれ印刷プロセス進行中に印刷される１つの印刷インキの拡散反射特性に割り当てられている。したがって印刷インキ、シアン、マゼンタおよびイエローに関して、それぞれ独自のセンサ２４に、少なくとも各印刷インキから拡散反射された光を狭い周波数帯域にフィルタリングするフィルタ２４が設けられている。検出装置１１は、出力側に、少なくとも１つの測定値を出力し、測定値は、測定箇所で検出される印刷インキの色濃度を表す。３つの印刷インキ、シアン、マゼンタおよびイエローの、それぞれ同じ測定箇所に位置する各色濃度は、検出装置１１によって、好適には同時に検出される。印刷機の印刷プロセス進行中、各印刷インキに割り当てられた測定値は、好適には継続的に検出される。
【００４７】
特定の印刷インキ、たとえばシアンに割り当てられた、フルトーン領域として形成された測定領域１３では、この印刷インキには、たとえば１．３Ｄ〜１．６Ｄの範囲、好適には１．５Ｄの色濃度が予測される。この測定領域１３では、シアンが、１次的な色濃度または主濃度を形成する。同じ測定領域１３で、同じ印刷プロセスに関与する別の印刷インキ、たとえばマゼンタおよびイエローの各色濃度も求められ、各色濃度は、選択された、印刷インキ、シアンに割り当てられた測定領域１３に関して、２次的な色濃度または副濃度と呼ばれる。副濃度マゼンタは、この測定領域１３では、予め設定した相応の規定に従って、主濃度の６０％を上回らないよう所望され（この値はたとえば０．７５Ｄ〜１．０Ｄの光学濃度の値に相当する）、これにより、このような場合、主濃度シアンと副濃度マゼンタとの間の基準割合が形成される。副濃度イエローに関して、この場合、測定値は、たとえば主濃度の３０％を上回らないよう所望され（この値はたとえば０．３５Ｄ〜０．５Ｄの光学濃度の値に相当する）、これにより、このような場合、主濃度シアンと副濃度イエローとの間の第２の基準割合が形成される。印刷プロセスに関与する残りの主濃度においても、好適にはフルトーン領域１３として形成された測定領域１３に関して、同様の、数値的には異なる設定が当てはまる。その結果、印刷プロセスに関与する全ての印刷インキに関して、たとえば好適にパラメータ化可能な調節マトリクスが得られ、調節マトリクスは、たとえば印刷機に付属するガイドスタンドおよび／または印刷機と結合可能な別の操作ユニットにおいて入力可能であり、かつ／または調節可能であり、その際、副濃度の各値は、たとえば各主濃度に関して表される。
【００４８】
印刷プロセス中に各印刷インキに関して求められる測定値が、予め規定された関係、つまり相応の規準割合を上回らない場合にのみ、特定の測定領域１３に関して主濃度として求められる測定値が、妥当であって、したがって引き続き使用可能であるとみなされる。そうでない場合、主濃度の、規定の少なくとも１つの関係を維持しない測定値は、インラインの色調整に用いられず、調整装置１２によって拒否され、つまり調整装置１２は、少なくとも基準割合を維持しない少なくとも１つの測定値に基づいて、インキ装置０７の調量装置の調節の変化を行わない。さらに印刷機のオペレータに、妥当でない測定値が存在する場合、視覚的および／または音響学的な通知によって、印刷機の所望しない運転状態が指摘される。許容されない高い副濃度を有するインキ帯域２２（図２および図４）は、調整装置１２によって、あとで行われる評価および障害発生原因の検出のために記録することができる。
【００４９】
好適には、主濃度に割り当てられた測定値の妥当性を検査する方法は、印刷機の始動後に、測定値が予想され前調節された値または最大値の約８０％に達して、印刷機がもはや校正刷りではなく、本刷りにある場合に、実施される。選択された測定箇所に設定された基準割合は、好適には調節可能である。主濃度と少なくとも１つの副濃度との間の少なくとも１つの関係を評価する方法によって、どの程度まで印刷プロセスに関与する印刷インキの使用適性が、たとえば地汚れ、塗布による汚れ、インキ装置０７におけるインキ再分裂または別の汚染により損なわれているのか検出することができる。求められた色濃度の妥当性の検査は、印刷機に用いられる色調整方法で自動化され、つまり印刷機のオペレータが何もせずに行われる。
【００５０】
測定値の別の妥当性検査によれば、たとえば該当するインキ装置０７の、調整装置１２によって選択されたインキ帯域２２で求められる色濃度の測定値の、同じインキ装置０７の少なくとも１つの隣接するインキ帯域２２で求められる色濃度の測定値に対する関係の変化が検査される。調整装置１２によって、インキ帯域２２に提供されるインキ量に関して調整されるインキ装置０７では、調量装置によってもたらされる印刷インキが、通常、割り当てられた版胴０８の軸方向にみて、インキ装置０７に配置された分配装置（ディストリビュータローラ）の往復運動によって側方に塗り込められ、ひいては塗布が均等化されるので、各色濃度に関する、印刷機の本刷りにおいて隣接するインキ帯域２２の間で調節される関係に関して、調量装置から各インキ帯域２２にもたらされるインキ量の調節が印刷プロセス進行中に不変である場合、極めて僅かな変化しか予想されていない。印刷プロセス進行中に隣接するインキ帯域２２で求められる色濃度の測定値の関係が、許容できないほど変化する場合、たとえば印刷プロセス進行中にたとえば調整装置１２の規則的な指示によって調量装置の調節が変化されることなく、隣接するインキ帯域２２の間において求められる光学濃度の差が０．３Ｄまたは０．４Ｄである場合、たとえばヒッキーまたは別の汚れを推測することができる。
【００５１】
図４には、搬送方向Ｔに対して直行する方向に延びる測定ストリップ１９（図２）が取り付けられた、シート０９の一部を示す。シート０９の搬送方向Ｔに対して横向きに、複数のインキ帯域２２、たとえば例示する４つのインキ帯域２２Ａ；２２Ｂ；２２Ｃ；２２Ｄが延在しており、各インキ帯域２２Ａ；２２Ｂ；２２Ｃ；２２Ｄは、測定ストリップ１９に、それぞれ相並んで位置する複数の測定領域１３を備えており、たとえばそれぞれ１つのインキ帯域２２Ａ；２２Ｂ；２２Ｃ；２２Ｄに配置された各測定領域１３は、印刷プロセスに関与する特定の１つの印刷インキに割り当てられており、たとえばフルトーン領域１３として形成されている。インキ帯域２２Ａ；２２Ｂ；２２Ｃ；２２Ｄに配置された測定領域１３の１つは、白色領域２３として形成してもよい（図２）。
【００５２】
図４に示す実施の形態では、たとえばインキ帯域２２Ｂにおいて特定の印刷インキに割り当てられた測定領域１３で求められる、色濃度に関する測定値が、たとえばインキ帯域２２Ａまたは２２Ｃにおいて、同じ印刷インキの、相応の測定領域１３で求められる、色濃度に関する測定値と関係付けされる。特に印刷機の本刷りで、調量装置によって該当するインキ帯域２２Ａ；２２Ｂ；２２Ｃにもたらされるインキ量の調節が印刷プロセス進行中に不変である場合に、この関係が許容される限度内に維持される場合、特定の印刷インキに関して選択された印刷域２２Ｂに求められる色濃度の測定値は、調整装置１２によって、妥当であると評価され、これに対して少なくとも１つの境界、つまり予め規定された、たとえば調整装置１２に記憶された限度値を上回るかまたは下回ることによって許容されない程度に変化された関係の場合、求められる現行の測定値は、色調整、特にインラインの色調整に用いられず、その際、色調整は、該当するインキ装置０７の調量の調節の後調整をもたらす。許容されない程度に変化された関係では、求められる現行の測定値は、色調整、特にインラインの色調整には使用不能として調整装置１２によって拒否される。したがって該当するインキ帯域２２Ｂには、求められる現行の測定値の代わりに、該当する印刷インキの色濃度の値は、調整装置１２によって、隣接するインキ帯域２２Ａ；２２Ｃから求められる測定値に基づいて、たとえば計算により内挿法または外挿法によって得られる。異なるインキ帯域２２；２２Ａ；２２Ｂ；２２Ｃ；２２Ｄの間の色濃度に関する測定値の関係の形成は、直に隣接するインキ帯域２２Ａ；２２Ｂ；２２Ｃに制限されず、さらに離れた、たとえば同じ測定ストリップ１９においてさらに離れて位置するインキ帯域２２Ｄに拡張することができる。妥当性に関する検査によって達成されるが、測定値における特異な障害、つまりいわゆる異常値（測定値にインキガイドにおける持続的な問題は存在しない）によっては、色調整が作動されず、ひいては色調整を行う調整装置１２の調整動作が不必要に不安定化されることはない。したがって色調整は、インキガイドを修正するための実際の処理要求が存在する場合にしか行われない。
【００５３】
好適な実施の形態では、異なるインキ帯域２２；２２Ａ；２２Ｂ；２２Ｃ；２２Ｄの間の色濃度に関する測定値の関係の形成は、印刷機に付属するガイドスタンドおよび／または印刷機と結合可能な別の操作ユニットにおいてパラメータ化可能であり、つまり、異なるインキ帯域２２；２２Ａ；２２Ｂ；２２Ｃ；２２Ｄの間の色濃度に関する測定値の、形成しようとする関係は、印刷機に付属するガイドスタンドおよび／または印刷機と結合可能な操作ユニットにおいてパラメータ化することができる。たとえばガイドスタンドおよび／または操作ユニットに異なるインキ帯域２２；２２Ａ；２２Ｂ；２２Ｃ；２２Ｄの間の色濃度に関する測定値の関係を形成するための前提として、たとえば表示装置に示されるプログラムマスクを用いて条件を調節することができ、その際に要求される条件によれば、特定のインキ装置０７に関して存在するインキ帯域２２；２２Ａ；２２Ｂ；２２Ｃ；２２Ｄの多数が、それぞれインキ装置０７から供給される印刷インキの色濃度に関する測定値を提供し、この測定値は、各インキ帯域２２；２２Ａ；２２Ｂ；２２Ｃ；２２Ｄにおいて前調節される、つまり、たとえば調整装置１２によって行われる調節によって設定される目標値の、少なくとも予め規定された割合（たとえば目標値の少なくとも２５％、特に少なくとも５０％）に到達する。特定のインキ装置０７に付属するインキ帯域２２；２２Ａ；２２Ｂ；２２Ｃ；２２Ｄの５０％以上、たとえば少なくとも６０％、７０％または８０％で、各色濃度は、好適には各インキ帯域２２；２２Ａ；２２Ｂ；２２Ｃ；２２Ｄに関して前調節される目標値の少なくとも半分の値に到達する必要があり、それも、調整装置１２が、各インキ帯域２２；２２Ａ；２２Ｂ；２２Ｃ；２２Ｄにおいて各色濃度に関して求められる測定値の妥当性を検査しはじめるまえに、到達する必要がある。これによって調整装置１２によって行われる色調整は、インキ着けによる印刷プロセスが十分に安定した状態になったあとで、はじめて作動させられる。したがって印刷機の始動段階の少なくともある程度の部分は、調整プロセスにより判断されないままである。しかし印刷機の始動段階の終わり近くでは、印刷機の印刷プロセス進行中、特に始動段階に続く本刷りにおいて、前述の条件が満たされていると、選択されたインキ帯域２２；２２Ｂに関して、色濃度に関する測定値は、関係を形成するために、同じインキ装置０７に付属する少なくとも１つの別のインキ帯域２２；２２Ａ；２２Ｃ；２２Ｄから成る測定値と関係付けされ、その際、選択されたインキ帯域２２；２２Ｂにおける色濃度に関する測定値は、形成された関係が予想された前調節された値の５０％を超えて異なる場合、妥当でないとして拒否される。妥当でないとして拒否された色濃度に関する測定値を有するインキ帯域２２；２２Ａ；２２Ｂ；２２Ｃ；２２Ｄは、調整装置１２において好適に記録される。通常、特定のインキ装置０７に付属する各インキ帯域２２；２２Ａ；２２Ｂ；２２Ｃ；２２Ｄを選択することができ、その際、調整装置１２によって、複数または全てのインキ帯域２２；２２Ａ；２２Ｂ；２２Ｃ；２２Ｄが個別に順次選択されるか、または同時に相互に並列で行われる方法で選択される。選択されたインキ帯域２２；２２Ｂにおいて色濃度に関して求められる測定値の妥当性を検査するために、選択されたインキ帯域２２；２２Ｂの片側に配置された、少なくとも２つの別のインキ帯域２２；２２Ａ；２２Ｃ；２２Ｄからの測定値が用いられる。好適には、選択されたインキ帯域２２；２２Ｂに関して両側で、それぞれ少なくとも２つの別のインキ帯域２２；２２Ａ；２２Ｃ；２２Ｄが用いられる。
【００５４】
色濃度を表す測定値の前述のあらゆる検査または測定値から形成される関係は、色調整装置、つまり、印刷機において色調整するための調整装置１２に、それぞれ個別に、または任意の組み合わせで用いられる。色調整は次のように行われる。被印刷物０９への印刷インキの塗布（インキ乗り具合）が安定したあとで、つまり各印刷インキの色濃度に関して予め調節された目標値の特定の割合が達成されたあとで、色調整が行われ、その際、目標値に基づいて行われる安定性検査は、選択された個々のインキ帯域２２；２２Ａ；２２Ｂ；２２Ｃ；２２Ｄまたは選択されたインキ帯域２２；２２Ａ；２２Ｂ；２２Ｃ；２２Ｄの群に関係する。したがって色調整に関して、後続に、検出装置１１によって、好適にはデジタル画像データから得られる、妥当であり、たとえば短時間しか作用しない障害に起因する異常値を形成することがない測定値しか用いられない。異常値は、たとえば調整装置１２によって、同じ印刷インキに関して好適には隣接するインキ帯域２２；２２Ａ；２２Ｃ；２２Ｄで得られる別の測定値によって代用される。異なる印刷インキの測定値の妥当性は、測定値のそれぞれの関係（測定値は特にエリア状に狭く画成された測定領域１３に関して相互に関係を占める）によって求めることもできる。この場合、たとえば調整装置１２によって、印刷機の生産進行中にインラインで検出される測定値または測定値から形成される関係が、特定の、たとえば印刷機のガイドスタンドにおいて特定の生産に関して予め規定される限度値を維持するかどうか検査される。各測定値または測定値から形成される関係が、限度値を、許容できない程度に上回るか、または下回ると、検査される相応の測定値または相応の関係が妥当でないとして拒否され、調整装置１２によって行われる色調整に用いられない。白色度は、未印刷の印刷物０９の検査から得られ、カラーインキの検査から得られる測定値に、各インキ濃度のゼロマークとして用いられる。白色度は、生産進行中安定しているか、または許容できない程度に変化される。総じて、印刷機の運転中に行われるインキ調整に関する記載した方法によって、極めて安定した調整動作が達成され、安定した調整動作は、印刷機内で行われる印刷プロセスにおいて比較的高品質の印刷製品を生産するのに役立つ。
【符号の説明】
【００５５】
０１  印刷部、  ０２  ラッカタワー、  ０３  デリバリ搬送部、  ０４  デリバリ、  ０６  フィーダ、  ０７  インキ装置、  ０８  版胴、  ０９  被印刷物、シート、  １１  検出装置、  １２  調整装置、  １３  測定領域、  １４  ブランケット胴、  １６  圧胴、  １７  湿し装置、  １８  照明装置、  １９  測定ストリップ、  ２１  印刷像、  ２２  帯域、インキ帯域、  ２３  白色領域、  ２４  センサ、画像センサ、フィルタ、  ２２Ａ  インキ帯域、  ２２Ｂ  インキ帯域、  ２２Ｃ  インキ帯域、  ２２Ｄ  インキ帯域、  ｂ２２  幅、  Ｔ  搬送方向
【図１】
0004928648.tif 000002
【図２】
0004928648.tif 000003
【図３】
0004928648.tif 000004
【図４】
0004928648.tif 000005